(57)【特許請求の範囲】
【請求項１】
水を加熱して高温水を生成可能な加熱手段と、
温度境界層を介して、上側に高温水を貯留し、下側に低温水を貯留する貯湯タンクと、
被加熱物を加熱するための熱交換器と、
前記貯湯タンクから導出された高温水を前記熱交換器に送る移送手段と、
前記貯湯タンクから導出された高温水を前記熱交換器に送って前記熱交換器により前記被加熱物を加熱する熱交換運転時に、前記熱交換器に送られた高温水が前記熱交換器を通過して温度低下した戻り湯を、前記温度境界層より上側の前記貯湯タンクの上方高温領域に流入させることにより前記戻り湯を前記上方高温領域に混合させる上方戻し流路と、
前記熱交換運転時に、前記戻り湯を、前記温度境界層より下側の前記貯湯タンクの下方領域に流入させる下方戻し流路と、
前記戻り湯を前記上方戻し流路に流入させる状態と前記下方戻し流路に流入させる状態とに切り替え可能な流路切替手段と、
前記加熱手段を稼動しない前記熱交換運転時に、前記流路切替手段を制御することにより、前記戻り湯を前記上方戻し流路を介して前記貯湯タンク内に流入させることにより前記戻り湯を前記上方高温領域に混合させるか、前記戻り湯を前記下方戻し流路を介して前記貯湯タンク内に流入させるかを制御する制御手段と、
前記貯湯タンクに設けられ、前記上方戻し流路が接続された上方戻し口と、
前記貯湯タンクに設けられ、前記下方戻し流路が接続された下方戻し口と、
前記貯湯タンクの、前記上方戻し口と前記下方戻し口との間の高さに設けられた中温水取出口と、
前記中温水取出口を介して前記貯湯タンク内から導出された温水を系外へ供給可能な給湯経路と、
前記貯湯タンクの上部に接続され、前記貯湯タンク内の高温水を導出する導出用配管と、
を備え、
前記中温水取出口は、前記下方戻し口より前記上方戻し口に近い高さに設けられており、
前記貯湯タンクには、前記戻り湯の戻し口が、前記上方戻し口と、前記下方戻し口との２箇所のみ設けられており、
前記上方戻し口は、前記貯湯タンクと前記導出用配管との接続位置より低い位置にあり、
前記上方戻し口から前記貯湯タンク内に流入した前記戻り湯が下方に拡散し、前記上方戻し口の高さと前記温度境界層との間の範囲にある高温水に前記戻り湯が混合し、前記上方戻し口の高さと前記温度境界層との間の領域に中温水層が生成され、前記中温水取出口から中温水を採取する貯湯式給湯システム。
【請求項２】
前記上方戻し流路を覆う断熱材を備え、
前記下方戻し流路は、前記上方戻し流路を覆う前記断熱材より断熱性能の低い断熱材で覆われているか、または断熱材で覆われていない請求項１記載の貯湯式給湯システム。
【請求項３】
前記上方戻し流路の流路長が前記下方戻し流路の流路長より短い請求項１または２記載の貯湯式給湯システム。
【請求項４】
前記制御手段は、前記熱交換運転を開始する際に、前記流路切替手段を前記下方戻し流路側に切り替えた状態で、前記貯湯タンクから導出された高温水を前記熱交換器に送ることにより前記移送手段および前記熱交換器の内部に残留している残留水を前記高温水に置換する熱交換予備運転を行う手段を含む請求項１記載の貯湯式給湯システム。
【請求項５】
前記制御手段は、前記移送手段による送水量と前記残留水の量とに基づいて、前記熱交換予備運転の継続時間を制御する請求項４記載の貯湯式給湯システム。
【請求項６】
前記制御手段は、前回の前記熱交換運転の終了時から今回の前記熱交換運転の開始時までの経過時間に基づいて前記熱交換予備運転の実行の要否を判定する請求項４または５記載の貯湯式給湯システム。
【発明の詳細な説明】
【技術分野】
【０００１】
本発明は、貯湯式給湯システムに関する。
【背景技術】
【０００２】
貯湯式給湯システムは、給湯負荷の発生に対して湯切れの生じることのないように、事前に加熱手段により沸上げられた給湯用の湯を貯湯タンクに溜めておき、当該貯湯タンクから給湯を行うシステムである。貯湯式給湯システムは、瞬間式給湯システム等と比べて、加熱手段の加熱能力が比較的小さい場合や、加熱手段の起動時における能力の立ち上りが遅い場合に適用される。
【０００３】
貯湯式給湯システムは、湯栓からの湯の放出による給湯だけでなく、貯湯タンク内の高温水を用いて浴槽の冷めた湯や住居の床などを、熱交換によって加熱する熱交換器を備えたものがある。そのような貯湯式給湯システムとして、特許文献１には、熱交換器で熱交換を終えた中低温の戻り湯を貯湯タンクに戻す戻し配管が、貯湯タンクの高さ方向において複数に分岐して貯湯タンクに接続されている技術が開示されている。
【０００４】
また、特許文献２には、熱交換器で熱交換を終えた中低温の戻り湯を貯湯タンクに戻す戻し配管が、貯湯タンクの高さ方向において複数に分岐して貯湯タンクに接続されていて、戻り湯の温度を検出する温度検出手段を有し、当該温度検出手段の検出値に基づいて、貯湯タンクに戻す配管を選択切替させる技術が開示されている。
【先行技術文献】
【特許文献】
【０００５】
【特許文献１】特許第３８８８１１７号公報
【特許文献２】特許第４１６５５９４号公報
【発明の概要】
【発明が解決しようとする課題】
【０００６】
特許文献１、２の何れも、熱交換器から戻る中低温の戻り湯を、貯湯タンク内の温度が戻り湯とほぼ同じになるような領域に戻すことを目的とした技術である。特許文献１、２のような技術では、貯湯タンクの３箇所以上に戻り湯の戻し口を設け、それぞれの戻し口に戻り湯の配管を接続するとともに、どの戻し口に戻り湯を戻すかを切り替えるための複数の流路切替弁を設ける必要があるため、構造が極めて複雑となり、高コスト化、大型化、重量増大という問題がある。また、中低温の戻り湯を貯湯タンク内の温度が戻り湯とほぼ同じになる領域に戻したとしても、そのような中低温の領域が結局利用されないままに貯湯タンク内に残る場合もあり、そのような場合には戻り湯の持つ熱量を再利用できず、省エネルギー化が図れないという問題もある。
【０００７】
本発明は、上述のような課題を解決するためになされたもので、熱交換器から貯湯タンクに戻る戻り湯が持つ熱量を簡単な構成で確実に再利用し、省エネルギー性能を改善することのできる貯湯式給湯システムを提供することを目的とする。
【課題を解決するための手段】
【０００８】
本発明に係る貯湯式給湯システムは、水を加熱して高温水を生成可能な加熱手段と、温度境界層を介して、上側に高温水を貯留し、下側に低温水を貯留する貯湯タンクと、被加熱物を加熱するための熱交換器と、貯湯タンクから導出された高温水を熱交換器に送る移送手段と、貯湯タンクから導出された高温水を熱交換器に送って熱交換器により被加熱物を加熱する熱交換運転時に、熱交換器に送られた高温水が熱交換器を通過して温度低下した戻り湯を、温度境界層より上側の貯湯タンクの上方高温領域に流入させることにより戻り湯を上方高温領域に混合させる上方戻し流路と、熱交換運転時に、戻り湯を、温度境界層より下側の貯湯タンクの下方領域に流入させる下方戻し流路と、戻り湯を上方戻し流路に流入させる状態と下方戻し流路に流入させる状態とに切り替え可能な流路切替手段と、加熱手段を稼動しない熱交換運転時に、流路切替手段を制御することにより、戻り湯を上方戻し流路を介して貯湯タンク内に流入させることにより戻り湯を上方高温領域に混合させるか、戻り湯を下方戻し流路を介して貯湯タンク内に流入させるかを制御する制御手段と、貯湯タンクに設けられ、上方戻し流路が接続された上方戻し口と、貯湯タンクに設けられ、下方戻し流路が接続された下方戻し口と、貯湯タンクの、上方戻し口と下方戻し口との間の高さに設けられた中温水取出口と、中温水取出口を介して貯湯タンク内から導出された温水を系外へ供給可能な給湯経路と、貯湯タンクの上部に接続され、貯湯タンク内の高温水を導出する導出用配管と、を備え、中温水取出口は、下方戻し口より上方戻し口に近い高さに設けられており、貯湯タンクには、戻り湯の戻し口が、上方戻し口と、下方戻し口との２箇所のみ設けられており、上方戻し口は、貯湯タンクと導出用配管との接続位置より低い位置にあり、上方戻し口から貯湯タンク内に流入した戻り湯が下方に拡散し、上方戻し口の高さと温度境界層との間の範囲にある高温水に戻り湯が混合し、上方戻し口の高さと温度境界層との間の領域に中温水層が生成され、中温水取出口から中温水を採取するものである。
【発明の効果】
【０００９】
本発明によれば、貯湯タンクから導出された高温水を熱交換器に送って被加熱物を加熱する熱交換運転時に熱交換器から貯湯タンクに戻る戻り湯を貯湯タンクの上方の高温領域に戻すことができる。このため、戻り湯が再利用されないまま貯湯タンク内に残ることを抑制することができ、戻り湯が持つ熱量を確実に再利用して、省エネルギー化が図れる。また、戻り湯を貯湯タンクの上方の高温領域に戻すことが不都合となる場合には、戻り湯を貯湯タンクの下方の低温領域に戻すことにより、そのような不都合を回避することができる。また、戻り湯の戻し口を貯湯タンクの上方と下方との２箇所に設けるだけでよく、３箇所以上の戻し口を設ける必要がないので、貯湯タンクの構造や配管構成の複雑化、戻り湯の流路を切り替える流路切替機構の複雑化を回避することができ、簡単な構成で上記効果を達成することができる。
【図面の簡単な説明】
【００１０】
【図１】本発明の実施の形態１の貯湯式給湯システムを示す構成図である。
【図２】本発明の実施の形態１の貯湯式給湯システムにおける信号の流れを表すブロック図である。
【図３】流路切替弁を上方戻し流路側に切り替えた状態を示す図である。
【図４】流路切替弁を下方戻し流路側に切り替えた状態を示す図である。
【図５】本発明の実施の形態２の貯湯式給湯システムを示す構成図である。
【図６】本発明の実施の形態２の貯湯式給湯システムにおける信号の流れを表すブロック図である。
【図７】追焚運転時に追焚戻り湯を上方戻し流路を介して上方戻し口から貯湯タンク内に戻したときの貯湯タンク内の温度分布の変化を説明するための図である。
【図８】追焚戻り湯を上方戻し流路を介して貯湯タンク内に戻した場合の中温水取出口の位置の影響を説明するための図である。
【図９】追焚運転時に追焚戻り湯を下方戻し流路を介して下方戻し口から貯湯タンク内に戻したときの貯湯タンク内の温度分布の変化を説明するための図である。
【図１０】追焚戻り湯を下方戻し流路を介して貯湯タンク内に戻した場合の中温水取出口の位置の影響を説明するための図である。
【図１１】本発明の実施の形態３に係る制御動作を表すフローチャートである。
【図１２】本発明の実施の形態３に係る制御動作を表すフローチャートである。
【図１３】本発明の実施の形態３に係る制御動作を表すフローチャートである。
【発明を実施するための形態】
【００１１】
以下、図面を参照して本発明の実施の形態について説明する。なお、各図において共通する要素には、同一の符号を付して、重複する説明を省略する。
【００１２】
実施の形態１．
≪機器構成≫
図１は、本発明の実施の形態１の貯湯式給湯システムを示す構成図である。図１に示すように、本実施の形態１における貯湯式給湯システムは、貯湯タンク１、加熱手段２、加熱用ポンプ３１、追焚用ポンプ３２、浴槽用ポンプ３３、混合手段４１、追焚熱交換器５、浴槽６、流路切替弁７、加熱用配管３０１、給水用配管３０２、導出用配管３０３、混合用配管３０４、給湯用配管３０５、浴槽往き配管３０６ａ、浴槽戻り配管３０６ｂ、追焚往き配管３０７ａ、上方戻し流路３０７ｂ、下方戻し流路３０７ｃ、および制御手段１００等を備えている。
【００１３】
貯湯タンク１は、加熱手段２により加熱された高温水を上側から貯留し、加熱前の低温水を下側から貯留する。貯湯タンク１内には、上側の高温水と、下側の低温水との間に、温度境界層が形成される。加熱手段２は、例えばヒートポンプにより水を加熱するように構成される。
【００１４】
混合手段４１は、貯湯タンク１の上部から導出された高温水と、水道等の水源から供給される低温水（市水）とを混合することにより、給湯温度を調節する。浴槽６は、浴室に設置され、入浴用の４０℃前後の湯が溜められる。追焚熱交換器５は、貯湯タンク１の上部から導出された高温水と、浴槽６から循環する浴槽水とを熱交換することにより、浴槽水を加熱する。
【００１５】
加熱用配管３０１は、加熱手段２を経由して、貯湯タンク１の下部と上部とを接続する。加熱用ポンプ３１は、加熱用配管３０１の途中に配置される。給水用配管３０２は、貯湯タンク１の下部に接続され、水道等の水源から供給される低温水を貯湯タンク１内に導入する。導出用配管３０３は、貯湯タンク１の上部に接続され、貯湯タンク１内の高温水を導出する。混合用配管３０４は、給水用配管３０２から分岐し、混合手段４１に低温水を導入する。給湯用配管３０５は、混合手段４１にて混合された湯を、例えば蛇口、シャワー、浴槽６等の系外の負荷側に供給する。
【００１６】
浴槽往き配管３０６ａは、追焚熱交換器５と浴槽６とを接続する。浴槽戻り配管３０６ｂは、浴槽用ポンプ３３を経由して、浴槽６と追焚熱交換器５とを接続する。追焚往き配管３０７ａは、貯湯タンク１の上部から、追焚熱交換器５および追焚用ポンプ３２を経由して、流路切替弁７に接続されている。本実施形態では、追焚往き配管３０７ａおよび追焚用ポンプ３２により、貯湯タンク１の上部から導出されて高温水を追焚熱交換器５に移送する移送手段が構成されている。
【００１７】
上方戻し流路３０７ｂは、流路切替弁７と、貯湯タンク１に設けられた上方戻し口１１とを接続する。下方戻し流路３０７ｃは、流路切替弁７と、貯湯タンク１に設けられた下方戻し口１２とを接続する。ここで、上方戻し流路３０７ｂの流路長は、下方戻し流路３０７ｃの流路長より短くなっている。貯湯タンク１の上部から導出されて追焚熱交換器５に送られた高温水は、追焚熱交換器５を通過する間に浴槽水に熱を与え、温度低下する。この温度低下した温水（以下、「追焚戻り湯」と称する）は、上方戻し流路３０７ｂまたは下方戻し流路３０７ｃを通って、貯湯タンク１内に戻される。流路切替弁７は、追焚戻り湯を、上方戻し流路３０７ｂに流入させる状態と、下方戻し流路３０７ｃに流入させる状態とに切り替え可能になっている。流路切替弁７は、更に、追焚戻り湯を上方戻し流路３０７ｂと下方戻し流路３０７ｃとに分配し、その分配比（流量比）を変化させることができるように構成されていてもよい。
【００１８】
制御手段１００は、加熱手段２、加熱用ポンプ３１、追焚用ポンプ３２、浴槽用ポンプ３３、混合手段４１、および流路切替弁７の動作を制御する。また、貯湯タンク１には、高さ方向に間隔をおいて、貯湯温度センサ５０１ａ〜５０１ｆが設けられている。図示の構成では、貯湯温度センサ５０１ａ〜５０１ｆの個数を６個としているが、この個数はこれに限定されるものではなく、貯湯タンク１の内部の温度分布をより高精度に測定するのに充分な数の温度センサを設けるようにしてもよい。
【００１９】
加熱用配管３０１には、加熱手段２の下流側にて加熱後の高温水の温度を検出するための沸上温度センサ５０２が設けられている。給水用配管３０２には、給水温度を検出するための給水温度センサ５０４が設けられている。貯湯タンク１の上部には、貯湯タンク１から導出される高温水の温度を検出するための導出温度センサ５０３が設けられている。給湯用配管３０５には、負荷側で使用される湯温を検出するための給湯温度センサ５０５が設けられている。浴槽戻り配管３０６ｂには、浴槽６から追焚熱交換器５に流れ込む浴槽戻り湯温度を検出するための浴槽戻り湯温度センサ５０６が設けられている。なお、浴槽戻り湯温度センサ５０６は、定期的に浴槽用ポンプ３３を運転させることにより、浴槽温度を検出する手段として利用してもよい。給湯用配管３０５には、負荷側で使用される湯量を検出する給湯流量センサ６０１が設けられている。
【００２０】
追焚熱交換器５の下流側には、追焚戻り湯の温度を検出する追焚戻り湯温度センサ５０７が設置されている。なお、追焚戻り湯温度をセンサで直接検出する方法に代えて、追焚用ポンプ３２の回転数、浴槽用ポンプ３３の回転数、貯湯タンク１から導出される高温水の温度、浴槽戻り湯温度等から追焚戻り湯温度を推定してもよい。
【００２１】
追焚運転が行われる時間帯は、通常は夜間であり、浴槽６への湯張りを含め、一日の給湯負荷の過半は終了している。すなわち、貯湯タンク１内の高温水の過半は消費されている。このため、追焚運転が行われる場合に、貯湯タンク１内の上方の高温領域と下方の低温領域との間にある温度境界層は、貯湯タンク１の高さの中間付近の所定範囲内に存在する。上方戻し流路３０７ｂが接続される上方戻し口１１は、追焚運転が行われるときの温度境界層の位置より上側となる貯湯タンク１の上方領域に設けられている。このため、上方戻し流路３０７ｂを通って貯湯タンク１内に戻る追焚戻り湯は、追焚戻り湯より温度の高い貯湯タンク１内の高温領域に流入する。下方戻し流路３０７ｃが接続される下方戻し口１２は、追焚運転が行われるときの温度境界層の位置より下側となる貯湯タンク１の下方領域に設けられている。このため、下方戻し流路３０７ｃを通って貯湯タンク１内に戻る追焚戻り湯は、追焚戻り湯より温度の低い貯湯タンク１内の低温領域に流入する。
【００２２】
図２は、本発明の実施の形態１の貯湯式給湯システムにおける信号の流れを表すブロック図である。図２に示すように、制御手段１００は、追焚有効蓄熱量算出手段１０１、追焚必要熱量予測手段１０４、加熱制御手段１０５、流路切替弁制御手段１０６、浴槽目標温度設定手段１０７、ポンプ制御手段１０８、システムモード設定手段１０９および追焚モード設定手段１１０等を有している。
【００２３】
制御手段１００には、時刻検出手段であるタイマー、貯湯温度センサ５０１ａ〜５０１ｆ、沸上温度センサ５０２、導出温度センサ５０３、給水温度センサ５０４、給湯温度センサ５０５、浴槽戻り湯温度センサ５０６、追焚戻り湯温度センサ５０７および給湯流量センサ６０１からの情報が入力される。この制御手段１００は、入力されたこれらの情報に基づいて、加熱手段２、加熱用ポンプ３１、追焚用ポンプ３２、浴槽用ポンプ３３、混合手段４、流路切替弁７を制御する。
【００２４】
浴槽目標温度設定手段１０７は、例えば浴室や台所に設置されるリモコン装置等のユーザーインターフェース装置に入力される使用者の指示に基づいて、追焚運転によって浴槽６を昇温する際の目標温度（以下、「浴槽目標温度」と称する）を設定する。
【００２５】
追焚有効蓄熱量算出手段１０１は、浴槽目標温度設定手段１０７で設定された浴槽目標温度と、貯湯温度センサ５０１ａ〜５０１ｆにより検出された情報とに基づいて、貯湯タンク１内の湯の有する蓄熱量のうちで浴槽６の追焚に利用可能な蓄熱量（以下、「追焚有効蓄熱量」と称する）を算出する。
【００２６】
追焚必要熱量予測手段１０４は、使用者の過去の追焚使用実績、または現在の浴槽６の温度や湯量の状況あるいはその両方の情報に基づいて、浴槽６の追焚に必要な熱量（以下、「追焚必要熱量」と称する）を予測する。
【００２７】
加熱制御手段１０５は、追焚有効蓄熱量算出手段１０１により算出された追焚有効蓄熱量と、追焚必要熱量予測手段１０４により予測された追焚必要熱量とに基づいて、加熱手段２および加熱用ポンプ３１の起動の必要性を判定する。
【００２８】
流路切替弁制御手段１０６は、流路切替弁７を動作させるパルスモータのパルス数を調節することにより、上方戻し流路３０７ｂと下方戻し流路３０７ｃとの流量分配を制御する。例えば、図３に示すように、流路切替弁７の開度を上方戻し流路３０７ｂの側に全開にした場合、追焚戻り湯はその全量が上方戻し口１１から貯湯タンク１内に流入する。逆に、図４に示すように、流路切替弁７の開度を下方戻し流路３０７ｃの側に全開にした場合、追焚戻り湯はその全量が下方戻し口１２から貯湯タンク１内に流入する。流路切替弁７の制御は、図３あるいは図４に示す制御に限るものではなく、追焚戻り湯の一部を上方戻し流路３０７ｂから貯湯タンク１に戻し、残りを下方戻し流路３０７ｃから貯湯タンク１に戻すように制御してもよい。
【００２９】
ポンプ制御手段１０８は、加熱用ポンプ３１、追焚用ポンプ３２および浴槽用ポンプ３３の各々の回転数を制御し、ポンプ循環量を調節する。
【００３０】
システムモード設定手段１０９は、ユーザーインターフェース装置に入力される使用者の指示などに基づいて、システム全体の省エネルギーを優先する運転モード（以下、「省エネモード」と称する）、この省エネモードと比べて湯切れの回避を優先する運転モード（以下、「湯切れ回避モード」と称する）、急速に追焚する追焚能力の保持を優先する運転モード（以下、「追焚能力優先モード」と称する）などを設定する。
【００３１】
追焚モード設定手段１１０は、ユーザーインターフェース装置に入力される使用者の指示などに基づいて、浴槽６の追焚運転に関する運転モードを設定する。例えば、追焚モード設定手段１１０は、浴槽温度を所定の範囲内に自動で維持する自動保温モード、中低温まで冷めた浴槽温度を一括して浴槽目標温度まで昇温する一括追焚モード、短時間で追焚を完了するために追焚能力（単位時間当たりの浴槽加熱量）を最優先して追焚を行う高能力追焚モードなどから選択する形で設定する。
【００３２】
図３および図４に示すように、追焚往き配管３０７ａは追焚往き配管断熱材８ａにより覆われ、上方戻し流路３０７ｂは上方戻し流路断熱材８ｂにより覆われ、下方戻し流路３０７ｃは下方戻し流路断熱材８ｃにより覆われている。上方戻し流路断熱材８ｂは、下方戻し流路断熱材８ｃよりも断熱性能が高いものであることが好ましい。上方戻し流路断熱材８ｂの断熱性能を、下方戻し流路断熱材８ｃの断熱性能より高くする方法としては、上方戻し流路断熱材８ｂの厚さを下方戻し流路断熱材８ｃの厚さより厚くする方法や、あるいは、上方戻し流路断熱材８ｂを下方戻し流路断熱材８ｃよりも熱伝導率の低い高性能な断熱材（例えば真空断熱材）で構成する方法が挙げられる。あるいは、下方戻し流路断熱材８ｃは、省略しても良い。
【００３３】
次に、本実施の形態１における貯湯式給湯システムの動作について説明する。
≪基本的な動作≫
貯湯タンク１の下部には、給水用配管３０２を通じて低温水が流入し、貯留される。加熱手段２によって貯湯タンク１の沸き上げを行う際には、貯湯タンク１の下部に貯留された低温水が、加熱用ポンプ３１によって加熱用配管３０１に引き込まれ、加熱手段２に導かれる。加熱手段２は、導かれた低温水を加熱して、高温水に沸き上げる。沸き上げられた高温水は、加熱用配管３０１を通じて貯湯タンク１に上部から流入し、貯留される。
【００３４】
負荷側に湯を供給する際には、貯湯タンク１の上部から高温水が導出用配管３０３により導出され、混合手段４に導かれる。このとき、貯湯タンク１の上部から導出された高温水と同量の低温水が給水用配管３０２から貯湯タンク１の下部に流入する。混合手段４は、混合用配管３０４から供給される低温水と、貯湯タンク１から供給される高温水とを混合し、給湯用配管３０５を通じて、蛇口、シャワー、浴槽６などに供給する。
【００３５】
また、浴槽６の追焚運転（熱交換運転）を行う際には、追焚用ポンプ３２および浴槽用ポンプ３３が駆動される。これにより、貯湯タンク１の上部から高温水が追焚往き配管３０７ａにより導出され、追焚熱交換器５に導かれる。同時に、浴槽６内の浴槽水は、浴槽戻り配管３０６ｂを通って、追焚熱交換器５に導かれる。追焚熱交換器５で浴槽水へ熱を与えて温度の低下した追焚戻り湯は、上方戻し流路３０７ｂまたは下方戻し流路３０７ｃを通って貯湯タンク１内に戻る。追焚熱交換器５で熱を受け取って温度の上昇した浴槽水は、浴槽往き配管３０６ａを通って浴槽６に戻る。このような追焚運転は、ユーザーインターフェース装置に入力される使用者の指示により強制的に開始されるか、あるいは、浴槽戻り湯温度センサ５０６によって定期的に検出される浴槽温度が浴槽目標温度設定手段１０７により設定された浴槽目標温度よりも所定量以上低くなったときに自動的に開始される。その後、ユーザーインターフェース装置に入力される使用者の指示により強制的に追焚運転が終了されるか、あるいは、浴槽戻り湯温度センサ５０６によって検出される浴槽温度が上記浴槽目標温度よりも所定量以上高くなったときに自動的に追焚運転が終了する。
【００３６】
本実施形態の貯湯式給湯システムでは、追焚運転時に、流路切替弁７を制御することにより、追焚戻り湯を、上方戻し流路３０７ｂを介して貯湯タンク１に戻すか、下方戻し流路３０７ｃを介して貯湯タンク１に戻すかを、以下に説明する事項に基づいて制御する。なお、以下の説明では、追焚戻り湯を貯湯タンク１に戻す際に、追焚戻り湯の全量を上方戻し流路３０７ｂに流入させること、あるいは、上方戻し流路３０７ｂの流量を下方戻し流路３０７ｃの流量より大きくすることを「タンク上方に戻す」と略称し、追焚戻り湯の全量を下方戻し流路３０７ｃに流入させること、あるいは、下方戻し流路３０７ｃの流量を上方戻し流路３０７ｂの流量より大きくすることを「タンク下方に戻す」と略称する。
【００３７】
追焚戻り湯の温度は、使用状況によって異なるが、少なくとも給水温度（低温水の温度）よりは高いので、追焚戻り湯は熱量を有している。追焚戻り湯をタンク上方に戻した場合には、追焚戻り湯の熱量が貯湯タンク１の上方の高温領域に戻るので、追焚戻り湯の熱量を給湯に確実に再利用できる。これに対し、追焚戻り湯をタンク下方に戻した場合には、給湯に利用されない貯湯タンク１の下方の低温領域に追焚戻り湯が混合するので、追焚戻り湯の熱量を再利用できない。このため、省エネルギーの観点からは、追焚戻り湯をなるべくタンク上方に戻した方が、省エネルギー化が図れる。ただし、追焚戻り湯の流入によって貯湯タンク１の上方の高温領域の温度が給湯に使用可能な温度（例えば４０℃）未満に低下してしまうような場合には、すべての熱量が無効となってしまうので、追焚戻り湯をタンク上方に戻すべきでない。貯湯タンク１の上方の高温領域が十分に高温である場合や、この高温領域の湯量が十分に多量である場合には、そのようなおそれがないので、追焚戻り湯をタンク上方に戻すように制御することが省エネルギーの観点から望ましい。
【００３８】
追焚湯切れへの耐力に関しては、追焚戻り湯の温度が浴槽目標温度と比べて高いか低いかにより、追焚戻り湯をタンク上方に戻した方が良いかタンク下方に戻した方が良いかが異なる。追焚戻り湯の温度が浴槽目標温度より高い場合には、追焚戻り湯は、浴槽水を加熱可能な熱量を有しているので、追焚戻り湯をタンク上方に戻すことにより、貯湯タンク１の上方の高温領域が有する追焚に有効な熱量が増え、追焚湯切れへの耐力が高くなる。これに対し、追焚戻り湯の温度が浴槽目標温度より低い場合には、追焚戻り湯は浴槽水に対して負の熱量を有しているので、追焚戻り湯をタンク上方に戻すと、貯湯タンク１の上方の高温領域が有する追焚に有効な熱量が減少する。このため、追焚戻り湯の温度が浴槽目標温度より低い場合には、追焚戻り湯をタンク下方に戻した方が追焚湯切れへの耐力が高くなる。
【００３９】
追焚能力の観点からは、次のようになる。追焚戻り湯の温度は、貯湯タンク１の上方の高温領域の温度より低いので、追焚戻り湯をタンク上方に戻すと、貯湯タンク１の上方の高温領域の温度は低下する。貯湯タンク１の上方の高温領域の温度が高いほど、追焚能力は高くなる。このため、追焚能力に関しては、追焚戻り湯の温度にかかわらず、追焚戻り湯をタンク下方に戻した方が、追焚能力を高く維持することができる。
【００４０】
以上説明したように、本実施形態の貯湯式給湯システムによれば、追焚戻り湯をタンク上方に戻した場合、追焚戻り湯が貯湯タンク１の上方の高温領域に混合されるので、追焚戻り湯が持つ熱量を確実に再利用することができる。これに対し、追焚戻り湯を貯湯タンク１の中間部に戻す構成の場合には、貯湯タンク１の中間部に戻された追焚戻り湯が結局使用されないまま残る場合がある。本実施形態の貯湯式給湯システムによれば、追焚戻り湯をタンク上方に戻した場合、追焚戻り湯が持つ熱量を確実に再利用することができるので、確実に省エネルギー化が図れる。また、追焚戻り湯をタンク上方に戻すことがシステムの状態や使用者の意向との兼ね合いで不都合となる場合には、追焚戻り湯をタンク下方に戻すことができるので、そのような不都合を回避することができる。更に、本実施形態の貯湯式給湯システムでは、貯湯タンク１に追焚戻り湯の戻し口として上方戻し口１１と下方戻し口１２との２箇所を設けるだけでよく、３箇所以上の戻し口を設ける必要がない。このため、貯湯タンク１の構造や追焚戻り湯の流路構成の複雑化を回避することができるので、装置の大型化やコスト・重量の増大を招くことなく、省エネルギー化を達成することができる。
【００４１】
本実施形態では、上述した理由から、追焚き戻り湯の温度が浴槽目標温度より高ければタンク上方に戻し、そうでなければタンク下方に戻すように制御してもよい。また、本実施形態では、システムモード設定手段１０９で省エネモードが設定されている場合には、追焚戻り湯をその温度にかかわらずタンク上方に戻すように制御してもよい。これにより、追焚戻り湯の熱量をより確実に回収して再利用できるので、使用者の意向に従い、省エネルギーを最優先することができる。また、本実施形態では、システムモード設定手段１０９で追焚能力優先モードが設定されている場合には、追焚戻り湯をその温度にかかわらずタンク下方に戻すように制御してもよい。これにより、貯湯タンク１の上方の高温領域の温度を最大化することができるので、使用者の意向に従い、追焚能力の保持を最優先することができる。
【００４２】
また、本実施形態では、追焚モード設定手段１１０で自動保温モードが設定されている場合に、自動保温の設定時間が長ければ追焚戻り湯をタンク下方に戻し、自動保温の設定時間が短ければ追焚戻り湯をタンク上方に戻すように制御してもよい。ここで、設定時間ではなく自動保温運転の残り時間に基づいてもよい。また、貯湯タンク１内の所定温度（例えば４０℃）以上の蓄熱量が、所定量（例えば予測される追焚必要熱量に所定の余裕代を加えた量）以上の場合であり、高温領域の温度が所定温度を下回らないと判断されるときに、追焚戻り湯をタンク上方に戻すように制御してもよい。
【００４３】
また、本実施の形態１においては、上方戻し流路断熱材８ｂを、下方戻し流路断熱材８ｃよりも断熱性能が高いものとすることにより、以下のような利点がある。上方戻し流路３０７ｂを介して追焚戻り湯を貯湯タンク１内に戻す場合には、追焚戻り湯が貯湯タンク１の上方の高温領域に流入し、高温領域の温度が低下する。貯湯タンク１の上方の高温領域の温度が目標給湯温度より低くなると、目標給湯温度の湯を供給できなくなるため、貯湯タンク１の上方の高温領域の温度低下はなるべく抑制する必要があり、そのためには上方戻し流路３０７ｂを通る追焚戻り湯の温度を可能な限り保温することが望まれる。特に、追焚運転の停止中に上方戻し流路３０７ｂ内に滞留した追焚戻り湯の温度が大きく低下すると、次の追焚運転の開始時に、その温度低下した上方戻し流路３０７ｂ内の追焚戻り湯が貯湯タンク１の上方の高温領域に流入することになり、好ましくない。このようなことから、上方戻し流路３０７ｂを保温する上方戻し流路断熱材８ｂの断熱性能をなるべく高くすることにより、貯湯タンク１の上方の高温領域の温度低下を抑制し、省エネルギー性を高めることができる。
【００４４】
これに対し、下方戻し流路３０７ｃを介して追焚戻り湯を貯湯タンク１内に戻す場合には、貯湯タンク１の上方の高温領域の温度が低下することはないので、追焚戻り湯の温度が多少低下しても、問題は無い。このため、下方戻し流路３０７ｃを保温する下方戻し流路断熱材８ｃを、上方戻し流路断熱材８ｂよりも断熱性能が低いものとすることにより、下方戻し流路断熱材８ｃのコストが低減するので、省エネルギー性に影響を及ぼすことなくコストの低減が図れる。また、下方戻し流路断熱材８ｃは省略しても良く、その場合にはコストを更に低減することができる。
【００４５】
また、本実施の形態１においては、上方戻し流路３０７ｂの流路長を下方戻し流路３０７ｃの流路長より短くしたことにより、下方戻し流路３０７ｃと比べて、上方戻し流路３０７ｂの放熱量を低減して保温性能を更に高めることができる。これにより、コストを増加することなく、省エネルギー性を更に高めることができる。
【００４６】
なお、本実施の形態１では、追焚熱交換器５により浴槽水を加熱する追焚運転を実行可能な貯湯式給湯システムを例に説明したが、本発明は、例えば床暖房などの他の用途のために熱交換器により被加熱物を加熱する熱交換運転を実行可能な貯湯式給湯システムにも同様に適用可能である。
【００４７】
実施の形態２．
次に、図５乃至図１０を参照して、本発明の実施の形態２について説明するが、上述した実施の形態１との相違点を中心に説明し、同一部分または相当部分は同一符号を付し説明を省略する。図５は、本発明の実施の形態２の貯湯式給湯システムを示す構成図である。図６は、本発明の実施の形態２の貯湯式給湯システムにおける信号の流れを表すブロック図である。
【００４８】
≪機器構成≫
図５に示すように、本実施の形態２における貯湯式給湯システムは、実施の形態１に示した構成に加えて、中温水混合手段４２と、中温水配管３０８と、中温水温度センサ５０８とを備えている。中温水混合手段４２は、導出用配管３０３の途中に配置されている。貯湯タンク１の上方戻し口１１と、下方戻し口１２との間の高さの位置には、中温水取出口１３が設けられている。中温水配管３０８は、中温水取出口１３と、中温水混合手段４２とを接続している。中温水混合手段４２は、中温水配管３０８を介して貯湯タンク１の中温水取出口１３から導出された中温水と、貯湯タンク１の上部から導出された高温水とを任意の混合比で混合可能になっている。混合手段４は、中温水混合手段４２から供給される温水と、混合用配管３０４から供給される低温水とを混合し、給湯用配管３０５を通じて、蛇口、シャワー、浴槽６などの負荷側に供給する。このように、本実施形態の貯湯式給湯システムは、中温水配管３０８を介して貯湯タンク１の中温水取出口１３から導出された中温水を系外へ供給可能な給湯経路を有している。なお、本実施形態では、先に中温水と高温水とを混合した後に低温水と混合可能な構成としているが、このような構成に限らず、先に中温水と低温水とを混合した後に高温水と混合する構成にしてもよい。また、目標給湯温度より中温水が高温の場合には中温水と低温水とを混合して給湯し、目標給湯温度より中温水が低温の場合には中温水と高温水とを混合して給湯する構成としてもよい。
【００４９】
図６に示すように、制御手段１００には、実施の形態１に示した情報に加えて、中温水温度センサ５０８からの情報が入力される。制御手段１００は、入力された情報に基づいて中温水混合手段４２を制御する。
【００５０】
図７は、追焚運転時に追焚戻り湯を上方戻し流路３０７ｂを介して上方戻し口１１から貯湯タンク１内に戻したときの貯湯タンク１内の温度分布の変化を説明するための図である。図８は、追焚戻り湯を上方戻し流路３０７ｂを介して貯湯タンク１内に戻した場合の中温水取出口１３の位置の影響を説明するための図である。なお、図７乃至図１０に示す例では、貯湯タンク１の容量を３７０Ｌとしている。
【００５１】
図７に示すように、追焚運転時に追焚戻り湯を上方戻し流路３０７ｂを介して貯湯タンク１内に戻した場合には、追焚運転によって温度境界層の位置は大きくは変化しない。また、温度境界層より上側の高温領域にある上方戻し口１１から流入した追焚戻り湯は、貯湯タンク１内の高温水より温度が低く、密度が大きい。このため、上方戻し口１１から流入した追焚戻り湯は、下方に拡散する。したがって、上方戻し口１１の高さと、温度境界層との間の範囲にある高温水に追焚戻り湯が混合し、上方戻し口１１の高さと温度境界層との間の領域にほぼ均一な温度の中温水層が生成される。上方戻し口１１より高い位置では、貯湯タンク１の頂部と同温の領域が減少していくが、上方戻し口１１の高さの貯湯温度よりは高温に維持される。この場合には、中温水取出口１３が上方戻し口１１と温度境界層との間の高さにあれば、中温水を確実に採取できる。また、中温水取出口１３の位置が高いほど、利用可能な中温水の量が多くなる。また、中温水層より高い温度の高温水は追焚のために残しておき、給湯に対してはできるだけ中温水を利用することが省エネルギーとなる。したがって、中温水取出口１３の位置は、上方戻し口１１よりも下の位置であって、なるべく高い位置が望ましい。
【００５２】
図９は、追焚運転時に追焚戻り湯を下方戻し流路３０７ｃを介して下方戻し口１２から貯湯タンク１内に戻したときの貯湯タンク１内の温度分布の変化を説明するための図である。図１０は、追焚戻り湯を下方戻し流路３０７ｃを介して貯湯タンク１内に戻した場合の中温水取出口１３の位置の影響を説明するための図である。
【００５３】
図９に示すように、追焚運転時に追焚戻り湯を下方戻し流路３０７ｃを介して貯湯タンク１内に戻した場合には、温度境界層の下側の低温水に追焚戻り湯が流入することにより、温度境界層の位置が上昇していく。また、下方戻し口１２から流入した追焚戻り湯は、貯湯タンク１内の低温水より温度が高く、密度が小さい。このため、下方戻し口１２から流入した追焚戻り湯は、上方に拡散する。したがって、下方戻し口１２の高さと温度境界層との間の範囲にある低温水に追焚戻り湯が混合することにより、下方戻し口１２の高さと温度境界層との間の領域に、ほぼ均一な温度の中温水層が生成される。この中温水層の温度は、追焚運転が続くにつれて上昇する。一方、下方戻し口１２の高さより低い領域の温度は、追焚運転開始時と大きく変化せず、ほぼ給水温度のままである。このように、下方戻し口１２の高さと温度境界層との間の領域に中温水層が生成されるので、中温水取出口１３が下方戻し口１２より高い位置であって温度境界層より低い位置になければ中温水が採取できない。したがって、中温水取出口１３は、下方戻し口１２より高い位置であって、なるべく低い位置にある方が、中温水を採取できる可能性は高い。しかしながら、中温水取出口１３が低い位置にあるほど、採取できる中温水の量が少なくなる。ゆえに、中温水取出口１３の位置は、下方戻し口１２よりも上であって、かつ、温度境界層が到達する範囲においてできるだけ高い位置が望ましい。ここで、温度境界層が到達する高さとしては、一般的に追焚運転が実施される時間帯では一日の給湯負荷の過半が終了していると想定されるので、貯湯タンク１の２分の１の高さ、またはそれより高い位置が、温度境界層が到達する高さとしてもよい。
【００５４】
以上のように、本実施の形態２においては、中温水取出口１３を上方戻し口１１と下方戻し口１２との間の高さに配置したことにより、追焚運転時に追焚戻り湯が上方戻し流路３０７ｂと下方戻し流路３０７ｃとの何れを介して貯湯タンク１に戻された場合であっても、生成した中温水を確実に採取することができる。このため、中温水を給湯に有効に活用することができ、省エネルギー化が図れる。
【００５５】
また、中温水取出口１３は、下方戻し口１２よりも上方戻し口１１に近い高さの位置、すなわち下方戻し口１２と上方戻し口１１との中間の高さより高い位置に配置することがより好ましい。上述したように、上方戻し流路３０７ｂを介して貯湯タンク１内に戻した追焚戻り湯により生成された中温水を採取する場合には、中温水取出口１３の位置が上方戻し口１１の高さになるべく近いほど、採取できる中温水の量が多くなり、省エネルギー化が図れる。一方、下方戻し流路３０７ｃは、省エネルギーを主な目的としたものではなく、高い追焚能力の維持を主な目的としたものである。このため、下方戻し流路３０７ｃを介して貯湯タンク１内に戻した追焚戻り湯を再利用する必要性はそれほど高くない。そこで、中温水取出口１３を、下方戻し口１２よりも上方戻し口１１に近い高さの位置に配置することにより、上方戻し流路３０７ｂを介して貯湯タンク１内に戻した追焚戻り湯の利用効率を向上することができ、より効果的に省エネルギー化が図れる。
【００５６】
なお、本実施の形態２と異なり、追焚戻り湯を、貯湯タンク１内の温度が追焚戻り湯と略同一温度となる領域に戻す構成とした場合には、貯湯タンク１の下方の低温領域に戻す場合と同じく、追焚運転による中温水は追焚戻り湯の戻し口の位置より上方に生成される。したがって、中温水取出口１３は、追焚戻り湯の戻し口の位置よりも高い位置に配置する必要がある。これに対して、本実施の形態２では、上方戻し流路３０７ｂを介して貯湯タンク１内に戻す追焚戻り湯は、追焚戻り湯の温度より高い高温領域に流入するので、上方戻し口１１よりも低い位置に中温水が生成される。このため、上方戻し口１１よりも低い位置に中温水取出口１３を配置することにより、追焚運転により生成された中温水を効率良く採取することができ、効果的に省エネルギー性能を改善することができる。
【００５７】
実施の形態３．
次に、図１１乃至図１３を参照して、本発明の実施の形態３について説明するが、上述した実施の形態１、２との相違点を中心に説明し、同一部分または相当部分は同一符号を付し説明を省略する。
【００５８】
追焚運転の停止中に冷えた熱交換回路内の残留水は、給水温度に対しても有効なエネルギーをほとんど有さないほどに温度が低下している場合があるので、貯湯タンク１の上方に流入させることは回避することが望ましい。そこで、本実施の形態３では、追焚運転を開始する際に、この熱交換回路内の残留水を貯湯タンク１の下方に戻す追焚予備運転（熱交換予備運転）を行う。
【００５９】
≪実施の形態３に特徴的な動作≫
図１１は、追焚予備運転を実行する制御動作を表すフローチャートである。図１１に示すように、まず、追焚運転の実行中かどうかが判断され（ステップＳ１）、追焚運転が実行されていないと判断された場合には、流路切替弁７がデフォルトの状態（ここでは、下方戻し流路３０７ｃ側の状態）に制御される。このため、本実施形態では、追焚運転の開始時には、流路切替弁７は事前に下方戻し流路３０７ｃ側に切り替えられている。ステップＳ１で追焚運転の実行中と判断された場合には、次に、追焚往き配管３０７ａおよび追焚熱交換器５内の残留水がすべて高温水に置換されたかどうかが判断される（ステップＳ３）。残留水がまだすべて高温水に置換されていないと判断された場合には、流路切替弁７を下方戻し流路３０７ｃ側にした状態で追焚用ポンプ３２を作動させる追焚予備運転が継続される（ステップＳ４）。この追焚予備運転により、貯湯タンク１の上部から導出された高温水が追焚往き配管３０７ａおよび追焚熱交換器５内に流入するとともに、追焚往き配管３０７ａおよび追焚熱交換器５内の残留水は、下方戻し流路３０７ｃを通って貯湯タンク１の下方に戻される。ステップＳ３で、追焚往き配管３０７ａおよび追焚熱交換器５内の残留水がすべて高温水に置換されたと判断された場合には、ステップＳ５の追焚本運転（通常の追焚運転）に移行する。
【００６０】
図１２は、追焚本運転における制御動作を表すフローチャートである。図１２に示すように、追焚本運転が開始された場合には、まず、過去所定期間（例えば数日間）の間に高能力追焚の実績があるかどうかを判断する（ステップＳ１０）。過去所定期間に高能力追焚の実績がある場合には、当日も高能力追焚の要求が発生する可能性が高いと判断できるので、貯湯タンク１の上方の高温領域の湯温を高く維持して追焚能力を保持するために、流路切替弁７を下方戻し流路３０７ｃ側にした状態で、追焚運転を実施する（ステップＳ１１）。一方、ステップＳ１０で、過去所定期間に高能力追焚の実績がない場合には、次に、現在貯湯タンク１に存在する追焚有効蓄熱量を追焚有効蓄熱量算出手段１０１により算出し（ステップＳ１２）、追焚必要熱量予測手段１０４により追焚必要熱量を予測する（ステップＳ１３）。そして、追焚有効蓄熱量と追焚必要熱量とを比較する（ステップＳ１４）。その比較の結果、追焚有効蓄熱量が追焚必要熱量より大きい場合、または追焚有効蓄熱量が追焚必要熱量より所定の余裕代以上に大きい場合には、追焚熱量の不足は発生しないと判断できるので、流路切替弁７を上方戻し流路３０７ｂ側にした状態で追焚運転を実施し（ステップＳ１５）、そうでない場合には、追焚熱量の不足を防止するために、流路切替弁７を下方戻し流路３０７ｃ側にした状態で追焚運転を実施する（ステップＳ１６）。
【００６１】
ここで、追焚往き配管３０７ａおよび追焚熱交換器５内の残留水がすべて高温水に置換されたかどうかの判定は、例えば、追焚戻り湯温度センサ５０７により検出される追焚戻り湯温度が、浴槽戻り湯温度センサ５０６により検出される浴槽戻り湯温度を超えた場合に、残留水の置換が完了したと判定することができる。また、追焚戻り湯温度が所定の閾値（例えば給湯温度に近い３５℃）を超えた場合に、残留水の置換が完了したと判定しても良い。
【００６２】
あるいは、追焚予備運転中の追焚用ポンプ３２による送水量をポンプ回転数から推定し、その積分値が残留水の体積（追焚往き配管３０７ａおよび追焚熱交換器５内の容積）を超えた場合に、残留水が置換されたと判定しても良い。この制御によれば、追焚戻り湯温度センサ５０７や浴槽戻り湯温度センサ５０６を備えない場合であっても、追焚予備運転の継続時間に過不足がないように適切に制御することができる。
【００６３】
また、本実施の形態３では、図１１に示す制御動作に代えて、図１３に示す制御動作を実行しても良い。図１３に示す制御動作では、追焚往き配管３０７ａおよび追焚熱交換器５内の残留水が低温になっていない場合には追焚予備運転を行わず、直ちに追焚本運転に移行する。図１３のフローチャートは、図１１のフローチャートのステップＳ１とステップＳ３との間にステップＳ６が挿入されたものである。図１３に示す制御動作の場合には、ステップＳ１で追焚運転の実行中と判断された場合には、次に、追焚戻り湯温度センサ５０７の出力値から推定される残留水の温度と所定温度（例えば給湯温度に近い３５℃）とを比較する（ステップＳ６）。その結果、残留水の温度が上記所定温度以上であると判断された場合には、追焚予備運転を行うことなく、直ちにステップＳ５の追焚本運転に移行する。一方、ステップＳ６で、残留水の温度が上記所定温度より低いと判断された場合には、ステップＳ３に移行し、図１１に示す制御動作と同様の制御を行う。図１３に示す制御動作によれば、残留水が低温になっていない場合には、不必要な追焚予備運転の実施を回避することができるので、更に省エネルギー化に寄与する。
【００６４】
なお、図１３に示す制御動作において、残留水の温度低下を、追焚戻り湯温度センサ５０７によらずに、前回の追焚運転の終了時から今回の追焚運転の開始時までの経過時間に所定の温度低下率を乗算することで推定し、その推定された残留水の温度低下が所定量より小さい場合には、追焚予備運転を実施しないようにしても良い。このような制御によれば、追焚戻り湯温度センサ５０７を備えない場合であっても、不必要な追焚予備運転の実施を回避することができる。
【００６５】
以上説明した本実施の形態３によれば、追焚往き配管３０７ａおよび追焚熱交換器５内に滞留して冷えた低温の残留水が貯湯タンク１の上方の高温領域に流入することを確実に回避できるので、省エネルギー性能を更に改善することができる。
【符号の説明】
【００６６】
１        貯湯タンク
２        加熱手段
４        混合手段
５        追焚熱交換器
６        浴槽
７        流路切替弁
８ａ      追焚往き配管断熱材
８ｂ      上方戻し流路断熱材
８ｃ      下方戻し流路断熱材
１１      上方戻し口
１２      下方戻し口
１３      中温水取出口
３１      加熱用ポンプ
３２      追焚用ポンプ
３３      浴槽用ポンプ
４１      混合手段
４２      中温水混合手段
１００    制御手段
３０１    加熱用配管
３０２    給水用配管
３０３    導出用配管
３０４    混合用配管
３０５    給湯用配管
３０６ａ  浴槽往き配管
３０６ｂ  浴槽戻り配管
３０７ａ  追焚往き配管
３０７ｂ  上方戻し流路
３０７ｃ  下方戻し流路
３０８  中温水配管
５０１ａ〜５０１ｆ  貯湯温度センサ
５０２    沸上温度センサ
５０３    導出温度センサ
５０４    給水温度センサ
５０５    給湯温度センサ
５０６    浴槽戻り湯温度センサ
５０７    追焚戻り湯温度センサ
５０８    中温水温度センサ
６０１    給湯流量センサ
【図１】
0005582161.tif 000002
【図２】
0005582161.tif 000003
【図３】
0005582161.tif 000004
【図４】
0005582161.tif 000005
【図５】
0005582161.tif 000006
【図６】
0005582161.tif 000007
【図７】
0005582161.tif 000008
【図８】
0005582161.tif 000009
【図９】
0005582161.tif 000010
【図１０】
0005582161.tif 000011
【図１１】
0005582161.tif 000012
【図１２】
0005582161.tif 000013
【図１３】
0005582161.tif 000014